(57)【要約】【課題】  キャップを取外す際における容器とキャップに対する双方の滑りを確実に防止し、キャップに対する取外し易さを飛躍的に高める。【解決手段】  容器Ｂ１，Ｂ２，Ｂ３に装着したキャップＣ１，Ｃ２，Ｃ３を手Ｈｐで取外す際にキャップＣ１…と手Ｈｐの間に介在させてキャップＣ１…に対する手Ｈｐの滑りを防止する高摩擦係数素材Ｒにより形成したキャップオープナ１を構成するに際して、キャップＣ１…と一方の手Ｈｐの間に介在させる第一滑防止部２ａに対して、容器Ｂ１…と他方の手Ｈｑの間に介在させることができる第二滑防止部２ｂを一体形成する。【選択図】  図１
2005329963.tif 000002
【特許請求の範囲】
【請求項１】
容器に装着したキャップを手で取外す際に前記キャップと手の間に介在させて前記キャップに対する手の滑りを防止する高摩擦係数素材により形成したキャップオープナにおいて、前記キャップと一方の手の間に介在させる第一滑防止部に対して、前記容器と他方の手の間に介在させることができる第二滑防止部を一体形成したことを特徴とするキャップオープナ。
【請求項２】
前記第一滑防止部及び／又は前記第二滑防止部の裏面及び／又は表面には、多数の凹凸を有する凹凸形状部を設けることを特徴とする請求項１記載のキャップオープナ。
【請求項３】
前記第一滑防止部は、下方を漸次大径にし、かつ下端を開放した円錐筒状に形成するとともに、前記第二滑防止部は、前記第一滑防止部の下端から下方に延出形成してなることを特徴とする請求項１又は２記載のキャップオープナ。
【請求項４】
前記第一滑防止部の上部に、高摩擦係数素材により形成した細長い紐状の第三滑防止部を貫通させてなることを特徴とする請求項３記載のキャップオープナ。
【請求項５】
前記第一滑防止部の上端に、容器の口を開ける缶切部，栓抜部等の開口用具を一体に設けることを特徴とする請求項３又は４記載のキャップオープナ。
【発明の詳細な説明】
【技術分野】
【０００１】
本発明は、容器に装着したキャップを手で取外す際に用いて好適な高摩擦係数素材により形成したキャップオープナに関する。
【背景技術】
【０００２】
従来、ビン等の容器に装着したキャップを手で取外す際にキャップと手の間に介在させてキャップに対する手の滑りを防止し、これにより、キャップを容易に取外すことができるようにしたキャップオープナは知られている。
【０００３】
例えば、特開平１０−２４５０９８号公報には、長方形のラバーに切り込みを施した台部と、胴部と半円形の先端部の内外周に滑り止めを施したラバー式キャップオープナーが開示されている。このキャップオープナーによれば、キャップを握る力が軽減され、子供等にも取外しが容易になるという基本的な効果に加え、キャップの大きさに応じた３様の使い分けができる。
【特許文献１】特開平１０−２４５０９８号
【発明の開示】
【発明が解決しようとする課題】
【０００４】
しかし、上述したキャップオープナをはじめ、従来のキャップオープナは次のような問題点があった。
【０００５】
第一に、容器のキャップを取外す際には、通常、一方の手で容器を持ち、他方の手でキャップを掴んで回し操作するが、容器に対する滑り止めは何ら考慮されていないため、取外し易さに関して不十分である。特に、容器はガラス等の滑り易い素材により形成され、しかも子供等にとって持ちにくい大径に形成されるため、キャップに対する滑り防止だけを考慮しても、十分な取外し易さを確保できない。
【０００６】
第二に、大，中，小のキャップに使用できるように考慮されているものの、小よりも更に小さい極小のキャップや大よりも更に大きい特大のキャップ、或いは特殊な形状を有するキャップ等、キャップの種類によっては利用できなかったり利用しにくく、いわゆる万能性において十分とは言えない。
【０００７】
第三に、バンド形状等の比較的単純な形状により、滑り防止機能のみに着目して形成（構成）されるため、多機能性及び装飾性等の付加価値において不十分である。しかも、取外しにくいキャップに対してのみ使用することから使用頻度が稀になり、保管場所を忘れたり紛失しやすい。
【０００８】
本発明は、このような背景技術に存在する課題を解決したキャップオープナの提供を目的とするものである。
【課題を解決するための手段】
【０００９】
本発明は、上述した課題を解決するため、容器Ｂ１，Ｂ２，Ｂ３に装着したキャップＣ１，Ｃ２，Ｃ３を手Ｈｐで取外す際にキャップＣ１…と手Ｈｐの間に介在させてキャップＣ１…に対する手Ｈｐの滑りを防止する高摩擦係数素材Ｒにより形成したキャップオープナ１を構成するに際して、キャップＣ１…と一方の手Ｈｐの間に介在させる第一滑防止部２ａに対して、容器Ｂ１…と他方の手Ｈｑの間に介在させることができる第二滑防止部２ｂを一体形成したことを特徴とする。
【００１０】
この場合、発明の好適な態様により、第一滑防止部２ａ及び／又は第二滑防止部２ｂの裏面２ａｒ，２ｂｒ及び／又は表面２ａｆ，２ｂｆには、多数の凹凸を有する凹凸形状部Ｐｒ，Ｐｆを設けることが望ましい。一方、第一滑防止部２ａは、下方を漸次大径にし、かつ下端を開放した円錐筒状に形成するとともに、第二滑防止部２ｂは、第一滑防止部２ａの下端から下方に延出形成することができる。また、第一滑防止部２ａの上部には、高摩擦係数素材Ｒにより形成した細長い紐状の第三滑防止部２ｃを貫通させて設けることができるとともに、さらに、第一滑防止部２ａの上端２ａｕに、容器の口を開ける缶切部３ａ，栓抜部等の開口用具３を一体に設けることができる。
【発明の効果】
【００１１】
このような構成を有する本発明に係るキャップオープナ１によれば、次のような顕著な効果を奏する。
【００１２】
（１）  キャップＣ１…と一方の手Ｈｐの間に介在させる第一滑防止部２ａに加え、容器Ｂ１…と他方の手Ｈｑの間に介在させる第二滑防止部２ｂを一体形成したため、キャップＣ１…を取外す際における容器Ｂ１…とキャップＣ１…に対する双方の滑りを確実に防止できる。この結果、キャップＣ１…に対する取外し易さを飛躍的に高めることができるとともに、キャップＣ１…をより確実に取外すことができる。
【００１３】
（２）  好適な態様により、第一滑防止部２ａを、下方を漸次大径にし、かつ下端を開放した円錐筒状に形成するとともに、第二滑防止部２ｂを、第一滑防止部２ａの下端から下方に延出形成すれば、各種大きさのキャップＣ１…に対して柔軟に対応できる。
【００１４】
（３）  好適な態様により、第一滑防止部２ａの上部に、高摩擦係数素材Ｒにより形成した細長い紐状の第三滑防止部２ｃを貫通させて設ければ、第三滑防止部２ｃをキャップＣ３…に巻き付けて使用できるため、各種大きさのキャップに加え、特殊形状のキャップに対しても柔軟に対応でき、汎用性をより高めることができる。
【００１５】
（４）  好適な態様により、第一滑防止部２ａの上端２ａｕに、容器の口を開ける缶切部３ａ，栓抜部等の開口用具３を一体に設ければ、多機能性を高めることができる。しかも、全体の構成から人形の置物にできるなど、容易に装飾性を付加することができ、付加価値の向上、更には、保管場所を忘れたり紛失する不具合の解消に寄与できる。
【発明を実施するための最良の形態】
【００１６】
次に、本発明に係る最良の実施形態を挙げ、図面に基づき詳細に説明する。
【００１７】
まず、本実施形態に係るキャップオープナ１の構成について、図１〜図３を参照して説明する。
【００１８】
図１は、キャップオープナ１全体の外観構成を示す。キャップオープナ１において、２ａは、天然ゴム，合成ゴム，合成樹脂等の高摩擦係数素材Ｒにより形成した第一滑防止部であり、下方を漸次大径にし、かつ下端を開放した円錐筒状（逆カップ状）に形成する。また、２ｂは、第一滑防止部２ａの下端から下方に延出形成した第二滑防止部であり、同一の高摩擦係数素材Ｒにより第一滑防止部２ａに対して一体形成する。図１に示す第二滑防止部２ｂは、円筒状に形成し、かつ下端辺から複数の縦方向スリットを設けることにより、複数（例示は八つ）の分割シート部２ｂａ，２ｂｂ，２ｂｃ…を有する。これにより、無用に広幅になる不具合が回避されるとともに、径の大きい容器に対しても柔軟に対応できる。さらに、図３に抽出して示す拡大断面図のように、第一滑防止部２ａ及び第二滑防止部２ｂにおける裏面２ａｒ，２ｂｒには、周方向に多数の縦方向溝ｘｓ…及び縦方向条ｘｍ…を交互に形成することにより凹凸を設けた凹凸形状部Ｐｒを有するとともに、表面２ａｆ，２ｂｆには、多数の突起ｘｐ…を形成することにより凹凸を設けた凹凸形状部Ｐｆを有する。
【００１９】
この場合、第一滑防止部２ａは、キャップＣ１…と一方の手Ｈｐの間に介在させるとともに、第二滑防止部２ｂは、容器Ｂ１…と他方の手Ｈｑの間に介在させて使用する。したがって、各種キャップＣ１…に対する第一滑防止部２ａ及び第二滑防止部２ｂを含む全体における使用位置（当接位置）は、キャップＣ１…及び容器Ｂ１…の形状及び大きさ等により異なるため、第一滑防止部２ａと第二滑防止部２ｂを分ける明確な境界が存在するわけではない。
【００２０】
また、第一滑防止部２ａの上部（上端付近）には、滑防止部材Ｒにより形成した細長い紐状の第三滑防止部２ｃを設ける。この場合、第三滑防止部２ｃは、第一滑防止部２ａの径方向に貫通させて取付ける。さらに、第一滑防止部２ａの上端２ａｕには、容器の口を開ける開口用具３を一体に設ける。開口用具３としては、図２に示すような、缶の蓋を開ける缶切部３ａを適用できるとともに、ワインのコルク栓を抜く栓抜部等を適用できる。なお、１１は、缶切部３ａを支持する硬質のベース部である。１２は、缶切部３ａを覆うカバーであり、このカバー１２はベース部１１に対して着脱する。このような開口用具３を一体に設けることにより、多機能性を高めることができる。
【００２１】
ところで、第一滑防止部２ａ，第二滑防止部２ｂ，第三滑防止部２ｃ及びカバー１２の組合わせによる全体の構成から、図１に示すように、人形Ｍの置物にできるなど、容易に装飾性を付加することができる。この場合、カバー１２を頭部、第一滑防止部２ａ及び第二滑防止部２ｂを胴部、第三滑防止部２ｃを腕部にできるため、カバー１２には、目や口等の人の顔を表示するとともに、第三滑防止部２ｃの両端には手の平を象って製作することが望ましい。
【００２２】
次に、本実施形態に係るキャップオープナ１の使用方法及び機能について、図１〜図７を参照して説明する。
【００２３】
まず、図４は比較的大きいキャップＣ１を取外す場合を示す。この場合、キャップオープナ１をキャップＣ１が装着された容器Ｂ１に上から被せる。そして、一方の手Ｈｐで第一滑防止部２ａを介してキャップＣ１を掴み、かつ他方の手Ｈｑで第二滑防止部２ｂを介して容器Ｂ１を持てばよい。これにより、他方の手Ｈｑと容器Ｂ１間の滑りは、第二滑防止部２ｂにより防止されるとともに、一方の手ＨｐとキャップＣ１間の滑りは、第一滑防止部２ａにより防止されるため、一方の手Ｈｐを回し操作すれば、いわゆる固く装着されたキャップＣ１であっても極めて容易に取外すことができる。
【００２４】
一方、図５は比較的小さいキャップＣ２を取外す場合を示す。この場合も、キャップオープナ１をキャップＣ２の装着された容器Ｂ２に上から被せる。これにより、第一滑防止部２ａは、キャップＣ１に対して当接した位置よりも径の小さくなる上側の位置がキャップＣ２に当接するため、一方の手Ｈｐで第一滑防止部２ａを介してキャップＣ２を掴み、かつ他方の手Ｈｑ（図５では省略）で第二滑防止部２ｂを介して容器Ｂ２を持てばよく、図４に示した場合と同様、容易にキャップＣ２の取外しを行うことができる。
【００２５】
このように、キャップオープナ１は、第一滑防止部２ａを、下方を漸次大径にし、かつ下端を開放した円錐筒状に形成するとともに、第二滑防止部２ｂを、第一滑防止部２ａの下端から下方に延出形成したため、キャップＣ１，Ｃ２を取外す際における容器Ｂ１，Ｂ２とキャップＣ１，Ｃ２に対する双方の滑りを確実に防止でき、キャップＣ１，Ｃ２に対する取外し易さを飛躍的に高めることができる。特に、固く装着されたキャップＣ１，Ｃ２であってもより確実に取外すことができるとともに、各種大きさのキャップＣ１，Ｃ２…に対しても柔軟に対応できる。
【００２６】
他方、図６は第一滑防止部２ａによっては掴むことができない極小のキャップＣ３を取外す場合を示す。この場合、第三滑防止部２ｃの一端側を引っ張ることにより第一滑防止部２ａに対して一方側に移動させる。そして、図６に示すように、第三滑防止部２ｃをキャップＣ３の外周面に巻き付け、この巻き付けた第三滑防止部２ｃの上を手Ｈｐで掴み、この状態で回し操作すればよい。なお、容器Ｂ３も比較的小さいため、第二滑防止部２ｂにおける分割シート部２ｂａ，２ｂｂ，２ｂｃ…の一部を利用して容器Ｂ３を持つことができる。
【００２７】
このように、キャップオープナ１は、第一滑防止部２ａの上部に、高摩擦係数素材Ｒにより形成した細長い紐状の第三滑防止部２ｃを貫通させて設けたため、例示のような極小のキャップＣ３をはじめ、段差を有するキャップ等、特殊形状のキャップに対しても柔軟に対応でき、汎用性をより高めることができる。
【００２８】
なお、第一滑防止部２ａの上端２ａｕには、缶切部３ａ等の他の開口用具３を一体に備えるため、カバー１２をベース部１１から取り外すことにより、当該開口用具３を使用することができる。
【００２９】
また、例示のキャップオープナ１は、第一滑防止部２ａ，第二滑防止部２ｂ，第三滑防止部２ｃ及びカバー１２の組合わせによる人形Ｍとして構成したため、保管時には、置物として保管することができる。図７は、キャップオープナ１の保管時の状態を示す。この場合、第三滑防止部２ｃは、第一滑防止部２ａの内側から引っ張ることにより、第三滑防止部２ｃの中間部分を第一滑防止部２ａの内部に収容することができるとともに、分割シート部２ｂａ，２ｂｂ，２ｂｃ…は第一滑防止部２ａの内側に折り込むことができるため、この状態で棚等の上面に置くことができる。なお、図７は、別途用意した載置皿２０に載せた場合を示している。このように、キャップオープナ１は、全体の構成から人形の置物にできるなど、容易に装飾性を付加することができ、付加価値の向上、更には、保管場所を忘れたり紛失する不具合の解消に寄与できる。
【００３０】
以上、最良の実施形態について詳細に説明したが、本発明は、このような実施形態に限定されるものではなく、細部の構成，形状，素材，数量等において、本発明の要旨を逸脱しない範囲で、任意に変更，追加，削除することができる。
【００３１】
例えば、図１は、第二滑防止部２ｂに縦方向スリットを設けることにより複数の分割シート部２ｂａ，２ｂｂ，２ｂｃ…を有する場合を示したが、図８に示すように、縦方向スリットを設けることなく、第一滑防止部２ａをそのまま延出形成した状態であってもよい。なお、３０はストラップ（引掛用リング）を示す。
【００３２】
また、凹凸形状部Ｐｒ，Ｐｆは、第一滑防止部２ａ及び第二滑防止部２ｂの双方に設けるとともに、裏面２ａｒ，２ｂｒ及び表面２ａｆ，２ｂｆの双方に設けた場合を示したが、第一滑防止部２ａ及び第二滑防止部２ｂは無くてもよいし、第一滑防止部２ａ又は第二滑防止部２ｂの一方のみ或いは裏面２ａｒ，２ｂｒ又は表面２ａｆ，２ｂｆの一方のみに設けてもよい。さらに、第三滑防止部２ｃ或いは開口用具３は、必ずしも設けることを要しない。
【図面の簡単な説明】
【００３３】
【図１】本発明の最良の実施形態に係るキャップオープナの正面図、
【図２】同キャップオープナにおける開口用具の拡大正面図、
【図３】図１中Ｘ−Ｘ線断面図（部分抽出拡大図を含む）、
【図４】同キャップオープナの断面を含む使用説明図、
【図５】同キャップオープナの断面を含む他の使用説明図、
【図６】同キャップオープナの断面を含む他の使用説明図、
【図７】同キャップオープナの保管時における正面図、
【図８】本発明の他の実施形態に係るキャップオープナの正面図、
【符号の説明】
【００３４】
１      キャップオープナ
２ａ    第一滑防止部
２ａｒ  第一滑防止部の裏面
２ａｆ  第一滑防止部の表面
２ａｕ  第一滑防止部の上端
２ｂ    第二滑防止部
２ｂｒ  第二滑防止部の裏面
２ｂｆ  第二滑防止部の表面
２ｃ    第三滑防止部
３      開口用具
３ａ    缶切部
Ｂ１…  容器
Ｃ１…  キャップ
Ｈｐ    一方の手
Ｈｑ    他方の手
Ｒ      高摩擦係数素材
Ｐｒ    凹凸形状部
Ｐｆ    凹凸形状部
【図１】
2005329963.tif 000003
【図２】
2005329963.tif 000004
【図３】
2005329963.tif 000005
【図４】
2005329963.tif 000006
【図５】
2005329963.tif 000007
【図６】
2005329963.tif 000008
【図７】
2005329963.tif 000009
【図８】
2005329963.tif 000010